Podtech/llm-jp-corpus-v4-ja_patent huggingface dataset:
【手続補正書】
【提出日】平成20年5月20日(2008.5.20)
【手続補正１】
【補正対象書類名】明細書
【補正対象項目名】０００５
【補正方法】変更
【補正の内容】
【０００５】
これらのマルチビーム式の電子ビームシステム設計は、イオンオプティカルカラムが高圧で作動し、したがって、電子ビームシステムには存在しない設計上の問題を引き起こすので、容易にイオンビームシステムに転用できるものではない。約＋３００００Ｖのビーム電圧で作動する高圧ＦＩＢカラムのアレイを設計すると、−５００乃至−５０００Ｖの間で主に作動するリソグラフィーや検査用の電子ビームカラムのアレイの設計に含まれた問題とは全く異なる問題を引き起こす。更に、高圧電源が電子ビームシステムに必要な低圧電源に比べて、大型で高価であり、小型で競争力のある価格のＦＩＢシステムを造ることを困難にしている。
【手続補正２】
【補正対象書類名】明細書
【補正対象項目名】００２２
【補正方法】変更
【補正の内容】
【００２２】
バルブ１５０は、好ましくは、銃チャンバ１１０の基部１７４に対して移動するバー１７２によって構成される。バルブ１５０が解放されているときには、バー１７２の開口が基部１７４の開口１６９と整列する。銃チャンバ１１０を封止するためには、バー１７２が移動して、バー１７２の開口が基部１７４の開口１６９とオフセットになり、Ｏリング１７６がバー１７２の堅い部分と基部１７４の間をシールする。バー１７２を移動する以前に、それは好ましくは、Ｏリング１７６から下動されて、汚染物質の精製や真空漏れを引き起こすＯリング１７６への損傷を避ける。バー１７２が移動された後で、それは再び上昇されてＯリング１７６に接触して真空シールを形成し銃チャンバ１１０を分離する。主チャンバ１１２は、銃チャンバ１１０が取り除かれたときには空気にさらされるが、それとは別に、主チャンバ１１２は、第２の組のバルブ（図示しない）を使用することによって封止可能である。主チャンバ１１２への銃チャンバ１１０の取り付けの詳細は、ありふれており示さない。
【手続補正３】
【補正対象書類名】明細書
【補正対象項目名】００３５
【補正方法】変更
【補正の内容】
【００３５】
電子ビームカラム内のレンズ通過電子検出システムは、公知であり、例えば、Ｋｒａｎｓ他のＰＣＴ公報ＷＯ９９／３４３９７に記載されている。Ｋｒａｎｓ他の設計において、レンズ２のセンタ部材と上部部材（そして任意には下部部材）が正電位にバイアスがかけられており、サンプルからの電子をレンズの上及び上部に引っ張り上げ、それらが大体イオンカラム軸の垂直に配向し一次ビームを通過するための中央穴を有するチャネルプレート電子増倍器によって検出される。
【手続補正書】
【提出日】平成19年12月13日(2007.12.13)
【手続補正１】
【補正対象書類名】明細書
【補正対象項目名】特許請求の範囲
【補正方法】変更
【補正の内容】
【特許請求の範囲】
【請求項１】  高粘度キトサンバイオポリマーを含む、活性作用物の局所デリバリー用担体基剤。
【請求項２】  キトサンが、少なくとも約100,000ダルトンの分子量を有する、請求項１に記載の担体基剤。
【請求項３】  キトサンが、少なくとも約２質量％の濃度を有する、請求項１に記載の担体基剤。
【請求項４】  請求項１に記載の担体基剤と活性作用物とを含む、活性作用物の局所デリバリー用組成物。
【請求項５】  活性作用物が製薬活性物を含む、請求項４に記載の組成物。
【請求項６】  製薬活性物が、皮膚病の治療のために使用される、請求項５に記載の組成物。
【請求項７】  製薬活性物が、レチノイド、コルチコステロイド、非ステロイド系抗炎症薬（NSAIDS）、ホルモン、抗真菌剤、抗敗血剤、局所麻酔薬、角質溶解剤、及び5-FUから選択される、請求項６に記載の組成物。
【請求項８】  活性作用物が治療活性物を含む、請求項４に記載の組成物。
【請求項９】  治療活性物が、ビタミン及びα-ヒドロキシ酸を含む、請求項８に記載の組成物。
【請求項１０】  さらに、少なくとも１種の追加的活性作用物を含む、請求項４に記載の組成物。
【請求項１１】  キトサンが、少なくとも約100,000ダルトンの分子量を有する、請求項４に記載の組成物。
【請求項１２】  キトサンが約３％までの濃度で存在する、請求項１１に記載の組成物。
【請求項１３】  キトサンが、約10,000〜約250,000ダルトンの分子量を有する、請求項４に記載の組成物。
【請求項１４】  キトサンが約８％までの濃度で存在する、請求項１３に記載の組成物。
【請求項１５】  担体基剤とレチノイドを含む、レチノイドの局所デリバリー用組成物であって、前記担体基剤が高粘度キトサンバイオポリマーを含む組成物。
【請求項１６】  キトサンバイオポリマーが、少なくとも100,000ダルトンの分子量を有し、かつ少なくとも２質量％の濃度である、請求項１５に記載の組成物。
【請求項１７】  ゲル中にある、請求項１６に記載の組成物。
【請求項１８】  クリーム中にある、請求項１６に記載の組成物。
【請求項１９】  ローションである、請求項１６に記載の組成物。
【請求項２０】  キャリヤーからの活性作用物の放出を制御する方法であって、以下の工程を含む方法：
担体基剤として高粘度キトサンバイオポリマーを供給する工程；
活性作用物を供給する工程；及び
前記活性作用物と前記キトサンを混合する工程。
【請求項２１】  キトサンが、少なくとも100,000ダルトンの分子量を有し、かつ少なくとも約２質量％の濃度である、請求項２０に記載の方法。
【請求項２２】  活性作用物が製薬活性物を含む請求項２０に記載の方法。
【請求項２３】  製薬活性物が、皮膚病の治療のために使用される、請求項２２に記載の方法。
【請求項２４】  製薬活性物が、レチノイド、コルチコステロイド、非ステロイド系抗炎症薬（NSAIDS）、ホルモン、抗真菌剤、抗敗血剤、局所麻酔薬、角質溶解剤、及び5-FUから選択される、請求項２２に記載の方法。
【請求項２５】  活性作用物が治療活性物を含む請求項２０に記載の方法。
【請求項２６】  治療活性物が、ビタミン及びα-ヒドロキシ酸を含む、請求項２５に記載の方法。
【請求項２７】  高粘度キトサンバイオポリマーと活性作用物を含有する担体基剤を含む、皮膚病治療用医薬組成物。
【請求項２８】  キトサンが、少なくとも約100,000ダルトンの分子量を有する、請求項２７に記載の医薬組成物。
【請求項２９】  キトサンが少なくとも２質量％の濃度である、請求項２７に記載の医薬組成物。
【請求項３０】  皮膚病が、ざ瘡、メラノーマ、早期老化、光損傷を含む、請求項２７に記載の医薬組成物。
【請求項３１】  さらに、抗癌薬を含む、請求項２７に記載の医薬組成物。
【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】  細胞に生理活性薬剤を送達するためのナノカプセルであって、該ナノカプセルが、以下：
（ａ）  該生理活性薬剤を含むコア；
（ｂ）  ミセルを形成するために該コアを少なくとも部分的に覆う界面活性剤分子であって、該界面活性剤分子が、６．０単位未満のＨＬＢ値を有する、界面活性剤分子；および、
（ｃ）  該コアおよび該ミセルを取り囲むシェルであって、該シェルが、生体適合性ポリマーを含有する、シェル
を含み、該ナノカプセルのサイズが、５０ｎｍ以下である、ナノカプセル。
【請求項２】  前記生理活性薬剤が、化学療法剤である、請求項１に記載のナノカプセル。
【請求項３】  前記生理活性薬剤が、高分子である、請求項１に記載のナノカプセル。
【請求項４】  前記高分子が、オリゴペプチド、ペプチド、炭水化物またはタンパク質である、請求項３に記載のナノカプセル。
【請求項５】  前記生理活性薬剤が、ポリヌクレオチドである、請求項１に記載のナノカプセル。
【請求項６】  前記ポリヌクレオチドが、発現ベクターである、請求項５に記載のナノカプセル。
【請求項７】  前記ポリヌクレオチドが、ＲＮＡである、請求項５に記載のナノカプセル。
【請求項８】  前記ＤＮＡのサイズを減少するために縮合薬剤をさらに含有する、請求項５〜７のいずれかに記載のナノカプセル。
【請求項９】  前記界面活性剤が、２００μＭ未満の臨界ミセル濃度を有する、請求項１〜８のいずれかに記載のナノカプセル。
【請求項１０】  前記界面活性剤が、アセチレン型ジオールまたはセチルアルコールを含有する、請求項１〜９のいずれかに記載のナノカプセル。
【請求項１１】  前記界面活性剤が、２，４，７，９−テトラメチル−５−デシン−４，７−ジオールまたはその混合物を含有する、請求項１〜９のいずれかに記載のナノカプセル。
【請求項１２】  前記界面活性剤が、無極性生体適合性油との混合物である、請求項１〜１１のいずれかに記載のナノカプセル。
【請求項１３】  前記シェルの少なくとも１つの生体適合性ポリマーが、特定の細胞の取り込みまたは組織の取り込みのためのものである、請求項１〜１２のいずれかに記載のナノカプセル。
【請求項１４】  前記生体適合性ポリマーが、細胞表面抗原に対する抗体、細胞表面レセプターに対するリガンドまたはペプチドホルモンを含有する、請求項１３に記載のナノカプセル。
【請求項１５】  前記生体適合性ポリマーが、レセプター媒介エンドサイトーシスに関連する細胞表面レセプターに対するリガンドを含む、請求項１４に記載のナノカプセル。
【請求項１６】  前記シェルが、特定の細胞の取り込みまたは組織の取り込みのための細胞認識成分を含有する、請求項１〜１２のいずれかに記載のナノカプセル。
【請求項１７】  請求項１〜１６のいずれかに記載のナノカプセルであって、前記生体適合性ポリマーが、界面活性剤ミセルを実質的にコートし得る親水性のポリマーである、ナノカプセル。
【請求項１８】  前記生体適合性ポリマーが、ヒアルロナン、テネイシンまたはポリビニルピロリドン、あるいはヒアルロナンレセプターもしくはテネイシンレセプターによる特定の細胞の取り込みのためのリガンドを含む、請求項１〜１７のいずれかに記載のナノカプセル。
【請求項１９】  前記生体適合性ポリマーが、イオントフォレーシスポリマーを含む、請求項１〜１８のいずれかに記載のナノカプセル。
【請求項２０】  前記シェルが、イオン沈殿物質をさらに含有する、請求項１〜１９のいずれかに記載のナノカプセル。
【請求項２１】  前記イオン沈殿物質が、Ｌｉ＋を含有する、請求項２０に記載のナノ粒子。
【請求項２２】  固体投薬形態である請求項１〜２１のいずれかに記載のナノカプセル。
【請求項２３】  小胞媒介ピノサイトーシスによる標的細胞への該生理活性薬剤の送達のために使用される、請求項１〜２１のいずれかに記載のナノカプセル。
【請求項２４】  請求項１〜２１のいずれかに記載のナノカプセルを作製するための方法であって、該方法は、以下の工程：
生理活性薬剤と、６．０単位未満のＨＬＢ値を有する界面活性剤とを、水混和可能溶媒中に溶解または分散させて、ミセルを形成する工程であって、該ミセルの各々が、界面活性剤分子で少なくとも部分的に覆われた生理活性薬剤のコアを有する、工程；および、
該ミセルの各々が、各々生体適合性ポリマーのシェルでそれぞれコーティングされるように、該生体適合性ポリマーを含む水性組成物中に該界面活性剤ミセルを含有する該水混和可能溶媒を分散する工程、
を包含する、方法。
【請求項２５】  前記生理活性薬剤が、前記ミセルの形成の前にそのサイズを減少するために縮合剤で処理される、請求項２４に記載の方法。
【請求項２６】  前記ミセルが、生体適合性油および／または水混和可能溶媒を含む組成物において形成される、請求項２４または２５に記載の方法。
【請求項２７】  請求項２４、２５または２６に記載の方法であって、前記コートされたミセルを含む水性組成物が、生体適合性ポリマーを凝固および硬化するための溶質を含む第２の水性組成物に移される、方法。
【請求項２８】  前記溶質が、Ｌｉ＋を含有する、請求項２７に記載の方法。
【請求項２９】  前記コートされたミセルが、前記第２の水性組成物中でインキュベーションされる、請求項２８に記載の方法。
【手続補正書】
【提出日】平成19年12月19日(2007.12.19)
【手続補正１】
【補正対象書類名】明細書
【補正対象項目名】００１５
【補正方法】変更
【補正の内容】
【００１５】
【発明を実施するための最良の形態】
以下、本発明を実施するのに適したシステムの構成を示す図１を用いて説明する。システムは、例えば支払人銀行（payor bank又はoriginating bank）と、決済銀行（settlement bank）その他を含む銀行１０と備える。支払人銀行１０は、１つ以上のインタフェースユニット２０（例えば、ネットワークインタフェース、ワイヤレスインタフェース、ネットワークサーバ等）と通信する処理装置２２（中央コンピュータ、分配コンピュータ、ネットワークコンピュータ等）を含む。処理装置２２は、更に、例えば１つ以上の電子貸金庫ユニット２４、銀行預金口座ユニット２６、決済借方／貸方勘定ユニット２８、リースアカウントユニット３０、融資アカウントユニット３２を含む複数のバックオフィスユニット及び／又は電子機能ユニットと通信する。各機能ユニットは、アカウントとその顧客に関する情報を含む１つ以上のデータベースを有する。
【手続補正２】
【補正対象書類名】明細書
【補正対象項目名】００１７
【補正方法】変更
【補正の内容】
【００１７】
図２に示すように、指紋識別装置５０は、その装置の所有者、支払人銀行、機能アカウント番号その他に関する情報を格納したカード又は薄い箱の形状を有する。指紋識別装置５０は、顧客５２の指紋を、顧客５２の指紋として記憶されている指紋と比較するために相互接続及びプログラミングされたマイクロプロセッサと、メモリと、指紋センサ５１とを含む。顧客５２の指紋が記憶されている指紋と一致するときだけ、カードは認証コードを発行する。当業者にとっては、指紋識別装置５０を実現するために適当な周知のハードウェアのいずれを用いてもよいことは明らかである。
【手続補正書】
【提出日】平成20年2月20日(2008.2.20)
【手続補正１】
【補正対象書類名】明細書
【補正対象項目名】特許請求の範囲
【補正方法】変更
【補正の内容】
【特許請求の範囲】
【請求項１】  複数の光学要素を含んでいる色補正された内視鏡であって、前記内視鏡が、
視野拡張器を有する対物レンズ系と、
前記対物レンズ系と光学的に配列されている少なくとも３つのリレー系と、
を備え、前記少なくとも３つのリレー系及び前記対物レンズ系の光学要素の各々は、曲率半径Ｒ、曲率Ｃ＝１／Ｒで定義される表面を有し、
Σ｜１／Ｒ｜
と表される、前記少なくとも３つのリレー系及び前記対物レンズ系の光学要素全ての曲率Ｃの絶対値の合計は、３．６５／ｍｍより小さい、
色補正された内視鏡。
【請求項２】  開口数が０．０５であり視野が約１１０度に等しい場合、山から谷までの波面収差は約０．８１波以下である、請求項１に記載の色補正された内視鏡。
【請求項３】  開口数が０．０５であり視野が約１１０度に等しい場合、山から谷までの波面収差は約０．５１波以下である、請求項１に記載の色補正された内視鏡。
【請求項４】  開口数が０．０５であり視野が約１１０度に等しい場合、山から谷までの波面収差は約０．３４波以下である、請求項１に記載の色補正された内視鏡。
【請求項５】  開口数が０．０５であり視野が約１１０度に等しい場合、最大の軸方向色収差は約０．６８波以下である、請求項１に記載の色補正された内視鏡。
【請求項６】  開口数が０．０５であり視野が約１１０度に等しい場合、最大の軸方向色収差は約０．２２波以下である、請求項１に記載の色補正された内視鏡。
【請求項７】  開口数が０．０５であり視野が約１１０度に等しい場合、最大の軸方向色収差は約０．１７波以下である、請求項１に記載の色補正された内視鏡。
【請求項８】  前記光学要素の内の１つのみが、前記内視鏡に対して色補正を行う、請求項１に記載の色補正された内視鏡。
【請求項９】  前記少なくとも３つのリレー系の内の１つのみが、前記内視鏡に対して色補正を行う、請求項１に記載の色補正された内視鏡。
【請求項１０】  前記少なくとも３つのリレー系の各々が棒状体からなる、請求項１に記載の色補正された内視鏡。
【請求項１１】  色補正のほぼ全ては単一の光学表面によって行われる、請求項１に記載の色補正された内視鏡。
【請求項１２】  前記棒状体はガラス又はプラスティックからなる、請求項１０に記載の色補正された内視鏡。
【請求項１３】  前記棒状体はガラスからなる、請求項１２に記載の色補正された内視鏡。
【請求項１４】  前記棒状体はプラスティックからなる、請求項１２に記載の色補正された内視鏡。
【請求項１５】  前記少なくとも３つのリレー系は非球面状表面を更に備え、該非球面状表面は前記棒状体に成形される、請求項１に記載の色補正された内視鏡。
【手続補正書】
【提出日】平成20年2月1日(2008.2.1)
【手続補正１】
【補正対象書類名】明細書
【補正対象項目名】特許請求の範囲
【補正方法】変更
【補正の内容】
【特許請求の範囲】
【請求項１】
統合された記録された番組／プロモーション再生アセットを提供するシステムであって、
該システムは、
テレビ番組を選択するためのユーザ入力を受信する手段と、
該選択された番組が記録されるべきかを決定する手段と、
該選択された番組が決定されるべきかの決定に応答して、
統合された記録された番組／プロモーション再生アセットに含ませるために、該選択された番組を記録する手段と、
該統合された記録された番組／プロモーション再生アセットに含ませるために、記録するプロモーションを選択する手段と、
該統合された記録された番組／プロモーション再生アセットに含ませるために、該選択されたプロモーションを記録する手段と、
該記録された番組を再生するためのユーザ指示の受信に応答して、該記録された番組／プロモーション再生アセットを再生する手段と
を備えている、システム。
【請求項２】
前記記録するプロモーションを選択する手段は、前記番組のコンテンツに基づいて該プロモーションを選択する手段をさらに備えている、請求項１に記載のシステム。
【請求項３】
前記選択された番組を記録する手段は、該番組の開始において前記プロモーションを記録する手段をさらに備えており、
前記システムは、再生中の番組の開始を示すフラッグを該プロモーションとともに記録する手段をさらに備えている、請求項１に記載のシステム。
【請求項４】
前記選択された番組を記録する手段は、前記プロモーションを該番組内の任意の所望な位置に記録する手段をさらに備えている、請求項１に記載のシステム。
【請求項５】
複数の放送チャンネル上のデータおよび信号を受信する手段をさらに備えている、請求項１に記載のシステム。
【請求項６】
前記番組および前記プロモーションを格納する格納ユニット手段をさらに備えている、請求項１に記載のシステム。
【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】  送信チャンネルの振幅歪みを表示する方法であって、送信チャンネルを介して既知の振幅分布の測定信号が伝達され、送信チャンネルの出力において振幅値が測定され、これらの連続した振幅測定値はデジタル値に変換され、測定範囲の前記振幅値は、隣接して接続された振幅ウィンドウに表示され、連続して形成された振幅デジタル値の所定の度数から、隣接して接続された振幅ウィンドウにおけるそれらの発生度数分布が決定され、且つ、それぞれの振幅ウィンドウに対して、確定された振幅度数値がディスプレイ装置により表示されることを特徴とする方法。
【請求項２】  基準値、特に、２次で重み付けされた平均値は、全てにおいて決定された振幅度数値から確定され、且つ、前記基準値が生じる振幅度数値のみが表示されることを特徴とする請求項１に記載の方法。
【請求項３】  基準値として、２次で重み付けされた平均（RMS値）が振幅度数値の合計から計算されることを特徴とする請求項２に記載の方法。
【請求項４】  所定多数のそれぞれ異なる整数の振幅測定値の発生度数が先ず決定され、次に基準値が計算され、またこの基準値を超える決定された振幅度数値がそれぞれ結合かつ加算されてグループを形成し、それぞれ結合された振幅度数値のグループのこれらの総数が隣接して接続される振幅ウィンドウに表示されることを特徴とする請求項１乃至３のいずれかに記載の方法。
【請求項５】  確認された最大の振幅度数値と、基準値とから波高率が計算されることを特徴とする請求項１乃至４のいずれかに記載の方法。
【請求項６】  いくつかの連続する所定多数のｎmax個の振幅測定値に対する請求項１による各振幅ウィンドウに対し振幅度数がそれぞれ確かめられ、かつそれから累積度数が確かめられ、かつ次に各振幅ウィンドウに対する相対振幅度数が計算かつ表示されることを特徴とする請求項１乃至５のいずれかに記載の方法。
【請求項７】  波高率がまたいくつかの連続する所定多数の振幅測定値に対して決定され、かつそれから確かめられた累積度数を介して相対波高率が計算されかつ表示されることを特徴とする請求項５又は６に記載の方法。
【請求項８】  測定信号の理想的度数もまた振幅ウィンドウにおいて同時に表示されることを特徴とする請求項１乃至７のいずれかに記載の方法。
【請求項９】  所定多数の瞬間的に評価された現在のパーセントもまた同時に表示されることを特徴とする請求項１乃至８のいずれかに記載の方法。
【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】
ディスプレイと、キーを含んでいる数字キーパッドとを有しているモバイル電話において、
前記ディスプレイに情報を表示し、前記ディスプレイが少なくとも２つの領域に視覚的に分割されるステップであって、各領域が前記数字キーパッドの前記キーのそれぞれ１つと関連付けされ、前記関連キーを選択することによって選択されてもよいオプションの選択肢を表しており、かつ、前記領域が、前記数字キーパッドの前記キーの構成に対応する構成で前記ディスプレイに配置化されるステップと、 動作を実行することによって、前記数字キーパッドの前記キーの選択された１つの選択に応答するステップと、を備えていることを特徴とする方法。
【請求項２】
各領域がサービスに対するサービスオプションに関連し、前記選択されたキーを選ぶことは前記サービスに対する要求になることを特徴とする請求項１の方法。
【請求項３】
各領域は、選択肢を視覚的に表すグラフィック要素を含む、請求項１の方法。
【請求項４】
各領域は、該各領域に関連付けされている前記数字キーパッドの多数の前記キーを表示できないことを特徴とする請求項１の方法。
【請求項５】
前記応答するステップが、前記選択されたキーの選択に関連する情報を表示することを含むことを特徴とする請求項１の方法。
【請求項６】
前記応答するステップが、電話をかけることを含むことを特徴とする請求項１の方法。
【請求項７】
前記応答するステップが、前記ディスプレイにワイヤレスマークアップ言語（ＷＭＬ）のカードを表示することを含むことを特徴とする請求項１の方法。
【請求項８】
ディスプレイと数字キーとを有している電子装置において、
地理的エリアの第一地図を、場所を含んでいる前記ディスプレイに表示するステップであって、前記第一地図は視覚的に明確に画定された領域に分割され、かつ各領域は前記数字キーのそれぞれ１つに対応するステップと、
前記数字キーの１つを選択するユーザの選択操作に応答して、前記数字キーの前記選択された１つに詳細に対応する前記第一地図の前記領域を示している第二地図を前記ディスプレイに表示するステップと、を備える、場所を示すことを特徴とする方法。
【請求項９】
前記第二地図が前記場所の視覚的表示を有していることを特徴とする請求項８の方法。
【請求項１０】
前記場所が現金自動預入支払機であることを特徴とする請求項８の方法。
【請求項１１】
前記場所が商品の販売者であることを特徴とする請求項８の方法。
【請求項１２】
前記場所がサービスの提供者であることを特徴とする請求項８の方法。
【請求項１３】
前記電子装置が電話である、請求項８の方法。
【請求項１４】
前記電子装置がモバイル電話である、請求項８の方法。
【請求項１５】
前記電子装置がディスプレイとしてのテレビと、前記数字キーを有している前記テレビの遠隔制御とを備える、請求項８の方法。
【請求項１６】
前記電子装置がページャである、請求項８の方法。
【請求項１７】
前記電子装置がインターネット機器である、請求項８の方法。
【請求項１８】
ディスプレイと、キーを備えた数字キーパッドとを有している電子装置において、
サービスの視覚的表示を前記ディスプレイのそれぞれの領域に表示するステップであって、前記領域の各々は前記数字キーパッドの前記キーのそれぞれ１つに対応し、かつ前記領域は前記数字キーパッドの前記キーの幾何学的構成に対応する幾何学的構成でパターン化されるステップと、
前記キーの選択された１つを選択する前記電子装置のユーザに応答して、情報を前記ディスプレイに表示して、ユーザが、前記選択されたキーに対応する前記領域によって視覚的に表される所与のサービスを要求できるようにするステップと、を備えていることを特徴とする方法。
【請求項１９】
前記所与のサービスが購入サービスであることを特徴とする請求項１８の方法。
【請求項２０】
前記所与のサービスが食品を購入するためのものであることを特徴とする請求項１８の方法。
【請求項２１】
前記所与のサービスがピザを購入するためのものであることを特徴とする請求項１８の方法。
【請求項２２】
前記電子装置がモバイル電話である、請求項１８の方法。
【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】
第１の端子としてゲートを含み、少なくとも第２および第３の端子をさらに含む絶縁ゲート半導体デバイスを駆動させる方法であって、電荷蓄積手段とスイッチング手段とが回路内で前記半導体デバイスのゲートへ接続され、オン状態とオフ状態のいずれかの状態とオン状態とオフ状態の他の状態との間で前記半導体デバイスを切り換えるように、チャージパルスを前記半導体デバイスの前記ゲートへ印加するものであり、前記パルスの持続期間は、前記半導体デバイスのスイッチングの前に前記パルスが実質的に完了する期間である、方法。
【請求項２】
前記絶縁ゲート半導体デバイスが酸化金属半導体電界効果トランジスタ（ＭＯＳＦＥＴ）である、請求項１に記載の方法。
【請求項３】
前記ＭＯＳＦＥＴがパワーＭＯＳＦＥＴである、請求項２に記載の方法。
【請求項４】
前記絶縁ゲート半導体デバイスが絶縁ゲート・バイポーラ・トランジスタである、請求項１に記載の方法。
【請求項５】
前記チャージパルスが、前記絶縁ゲート半導体デバイスのゲート電圧を、前記半導体デバイスの最大定格の３乃至４倍まで引き上げる、請求項１乃至４のいずれか１項に記載の方法。
【請求項６】
前記スイッチング手段は、前記電荷蓄積手段と前記半導体デバイスのゲートとの間に接続されている、請求項１乃至５のいずれか１項に記載の方法。
【請求項７】
前記電荷蓄積手段が、前記スイッチング手段と前記絶縁ゲート半導体デバイスとに並行に接続されている、請求項１乃至６のいずれか１項に記載の方法。
【請求項８】
前記電荷蓄積手段が、前記スイッチング手段と前記絶縁ゲート半導体デバイスとに直列に接続されている、請求項１乃至６のいずれか１項に記載の方法。
【請求項９】
前記スイッチング手段がＳＩＤＡＣである、請求項１乃至８のいずれか１項に記載の方法。
【請求項１０】
前記スイッチング手段が、ブレークオーバ・ダイオード、バイポーラ・トランジスタ、もう１つの絶縁ゲート半導体デバイス及び高電圧高速スイッチング・デバイスから選択される、請求項１ないし８のいずれか１項に記載の方法。
【請求項１１】
前記スイッチング手段のための電子制御手段を備える、請求項１乃至１０のいずれか１項に記載の方法。
【請求項１２】
前記電荷蓄積手段はコンデンサからなる、請求項１乃至１１のいずれか１項に記載の方法。
【請求項１３】
前記スイッチング手段と前記ゲートとの間にインダクタを備える、請求項１乃至１２のいずれか１項に記載の方法。
【請求項１４】
前記インダクタが前記スイッチング手段と直列に接続される、請求項１乃至１２のいずれか１項に記載の方法。
【請求項１５】
前記回路が単一のチップ上に集積される、請求項１乃至１４のいずれか１項に記載の方法。
【請求項１６】
第１の端子としてゲートを含み、少なくとも第２および第３の端子をさらに含む絶縁ゲート半導体デバイスを駆動する回路であって、前記回路が、前記半導体デバイスのゲートへ接続された電荷蓄積手段とスイッチング手段とを含み、オン状態とオフ状態のいずれかの状態とオン状態とオフ状態の他の状態との間で前記半導体デバイスを切り換えるように、チャージパルスを前記半導体デバイスの前記ゲートへ印加するものであり、前記パルスの持続期間は、前記半導体デバイスのスイッチングの前に前記パルスが完了する期間である、回路。
【請求項１７】
ゲートを含む絶縁ゲート半導体デバイスを駆動させる方法であって、電荷蓄積手段とスイッチング手段とが回路内で前記デバイスのゲートへ接続され、前記デバイスの最大定格を超えるゲート電圧を生じるチャージパルスを前記電荷蓄積手段から前記ゲートへ印可する、方法。
【請求項１８】
前記電圧が、前記デバイスの最大定格の３乃至４倍である、請求項１７に記載の方法。
【請求項１９】
ゲートを含む絶縁ゲート半導体デバイスを駆動させる回路であって、前記回路は、回路内で前記デバイスのゲートへ接続された電荷蓄積手段とスイッチング手段とを含み、前記デバイスの最大定格を超えるゲート電圧を生じるチャージパルスを前記電荷蓄積手段から前記ゲートへ印可する、回路。
【手続補正書】
【提出日】平成19年11月9日(2007.11.9)
【手続補正１】
【補正対象書類名】明細書
【補正対象項目名】特許請求の範囲
【補正方法】変更
【補正の内容】
【特許請求の範囲】
【請求項１】 上方の歯肉（ｇｉｎｇｉｖａ）を有する顎骨内に取り付けられる頂端部と、六角形ボスがその上に存在する前記歯肉及び前記顎骨の境界面付近にある歯肉端部とを有する歯科用インプラントに取り付けられる治療要素（ｈｅａｌｉｎｇ ｅｌｅｍｅｎｔ）において、
（１）上面と、
（２）前記歯肉に係合する側面と、
（３）前記治療要素の上面に設けられ、前記治療要素の少なくとも２つの特徴を識別することを可能にする少なくとも２つの情報マーカ（ｍａｒｋｅｒｓ）とを備える、治療要素。
【請求項２】 請求項１の治療要素において、 前記マーカが、陽情報マーカと、陰情報マーカと、多角形マーカと、数値マーカと、線マーカと、機械加工し又はエッチングしたマーカと、バーコードマーカとから成る群の１つである、治療要素。
【請求項３】 請求項１の治療要素において、 前記情報マーカが盛上った小凸部（ｐｉｍｐｌｅ）を有する、治療要素。
【請求項４】 請求項１の治療要素において、 前記情報マーカが小凹部（ｄｉｍｐｌｅ）を有する、治療要素。
【請求項５】 請求項１の治療要素において、 前記情報マーカが多角形マーカを有する、治療要素。
【請求項６】 請求項５の治療要素において、 前記多角形マーカが三角形、五角形、六角形又は四辺形の形状である、治療要素。
【請求項７】 請求項２の治療要素において、 前記バーコードマーカには前記治療要素の多数の情報片が予めコード化される、治療要素。
【請求項８】 請求項７の治療要素において、 バーコード読み取り装置が、前記予めコード化した情報内に保持された前記情報マーカを解釈する、治療要素。
【請求項９】 請求項１の治療要素において、 前記特徴が、前記治療要素の高さ、前記治療要素の直径、前記インプラントの寸法及び（又は）前記六角形ボスの方向の少なくとも１つ又は１つ以上を含む、治療要素。
【請求項１０】 請求項１の治療要素において、 走査システムと組み合わさって、最終的な補綴物を形成し得るように前記マーカを解釈する、治療要素。
【請求項１１】 請求項１０の組み合わせ体において、 前記走査システムが写真的撮像スキャナである、組み合わせ体。
【請求項１２】 請求項１０の組み合わせ体において、 前記走査システムがレーザ撮像スキャナである、組み合わせ体。
【請求項１３】 請求項１０の組み合わせ体において、 前記走査システムが機械式の検出スキャナである、組み合わせ体。
【請求項１４】 歯科用インプラントに取り付けられる治療要素において、
（１）上面と、
（２）歯肉に係合する側面と、
（３）前記インプラントの六角形ボスの方向、前記治療要素の直径及び前記治療要素の高さを決定する情報マーカとを備える、治療要素。
【請求項１５】 請求項１４の治療要素において、 前記情報マーカが盛上った小凸部を有する、治療要素。
【請求項１６】 請求項１４の治療要素において、 前記情報マーカが小凹部を有する、治療要素。
【請求項１７】 請求項１４の治療要素において、 前記情報マーカが多角形のマーカを有する、治療要素。
【請求項１８】 請求項１７の治療要素において、 前記多角形マーカが三角形、五角形、六角形又は四辺形の形状である、治療要素。
【請求項１９】 上方にある歯肉を有する顎骨内に取り付けられた該インプラントに隣接して配置される口内の領域の補綴歯を形成すべく印象（ｉｍｐｒｅｓｓｉｏｎ）を取り且つ像を走査する方法であって、前記インプラントは、顎骨内に取り付けられた頂端部と、六角形ボスがその上に取り付けられた前記歯肉及び前記顎骨の境界面付近の歯肉端部とを有する前記印象を取り且つ像を走査する方法において、 前記インプラントの前記歯肉端部を前記歯肉を通じて露出させるステップと、歯肉を形成する構成要素を前記インプラントの前記歯肉端部に取り付けるステップと、前記歯肉が前記歯肉を形成する構成要素の周りにて癒合する（ｈｅａｌ）のを可能にするステップと、 前記領域の情報を入手するステップと、 印象からの情報を情報受け入れ装置内に走査するステップとを備える、方法。
【請求項２０】 請求項１９の方法において、 前記情報を入手するステップが前記領域を直接走査することにより行われる、方法。
【請求項２１】 請求項１９の方法において、 前記情報を入手するステップが前記歯肉形成要素に係合する印象材料に対して行われる、方法。
【請求項２２】 請求項２１の方法において、 前記情報を入手するステップが前記領域から除去された印象材料を走査することにより行われる、方法。
【請求項２３】 請求項１９の方法において、 前記情報を入手するステップが前記印象材料から形成された前記領域の石模型（ｓｔｏｎｅ ｍｏｄｅｌ）を走査することにより行われる、方法。
【請求項２４】 請求項１９の方法において、 前記走査するステップが写真的撮像スキャナにより行われる、方法。
【請求項２５】 請求項１９の方法において、 前記走査するステップがレーザ撮像スキャナにより行われる、方法。
【請求項２６】 請求項１９の方法において、 前記走査するステップが機械式検出スキャナにより行われる、方法。
【請求項２７】 補綴歯を形成する方法において、 上方になる歯肉を有する顎骨内に歯科用インプラントを取り付けることと、 前記歯肉治療アバットメントの第一及び第二の特徴を表示する第一及び第二の標識を有する歯肉治療アバットメントを、前記歯肉を通じて伸びるように前記インプラントに取り付けることと、 前記歯肉治療アバットメントが配置される口の領域を走査して前記特徴を入手することとを備える、方法。
【請求項２８】 補綴歯を形成する方法において、 上方になる歯肉を有する顎骨内に歯科用インプラントを取り付けることと、 前記歯肉治療アバットメントの多角形の特徴の方向を表示する第一の型式の標識を有する歯肉治療アバットメントを、前記歯肉を貫通して伸びるように前記インプラントに取り付けることと、 前記歯肉治療アバットメントが配置される口の領域の印象を取ることとを備える、方法。
【請求項２９】 請求項２８の方法において、 前記第一の型式の標識が前記歯肉治療アバットメントの高さを表示する、方法。
【請求項３０】 請求項２８の方法において、 前記印象を走査するステップを更に含む、方法。
【請求項３１】 請求項３０の方法において、 前記走査するステップが写真的撮像スキャナにより行われる、方法。
【請求項３２】 請求項３０の方法において、 前記走査するステップがレーザ撮像スキャナにより行われる、方法。
【請求項３３】 請求項３０の方法において、 前記走査するステップが機械式検出スキャナにより行われる、方法。
【請求項３４】 請求項３０の方法において、 前記走査するステップが、前記印象材料から形成された前記領域の石模型を走査することにより行われる、方法。
【手続補正書】
【提出日】平成20年1月17日(2008.1.17)
【手続補正１】
【補正対象書類名】明細書
【補正対象項目名】特許請求の範囲
【補正方法】変更
【補正の内容】
【特許請求の範囲】
【請求項１】少なくとも２つの炎症の主要徴候について定量的且観察者不在下での測定値を得るための感知部材（102）、上記測定値の記録保管検索装置（114）、測定値を表示するディスプレイ装置（116）および、集められた測定値を分析して全体的な炎症の評価値を発生する手段からなる、関節または組織領域の炎症を検知し定量化する装置（100）。
【請求項２】測定結果を、関節または組織領域の従前の測定値と比較する手段をさらに包含する請求項１の装置。
【請求項３】前記感知部材が関節または組織領域の膨らみ検知装置(104)を包含する請求項１の装置。
【請求項４】膨らみ検知装置(104)が、機械的接触装置、ビデオ型デジタル化走査システム装置、光学的走査システム装置、レーザー型システム装置、位置追跡型システム装置、光沢計型装置、超音波装置、及び磁気共鳴映像化及び測定システム装置を包含する群から選ばれる請求項３の装置。
【請求項５】前記感知部材が、関節または組織の動きの範囲を決定する運動範囲測定装置（106）を包含する請求項１の装置。
【請求項６】前記運動範囲測定装置（106）が幾何学的チャート装置、幾何学的ゲージ装置、光学的格子装置、ビデオ型デジタル化走査システム装置、光学的走査システム装置、レーザー型システム装置、位置追跡型システム装置、超音波型装置、及び磁気共鳴映像化及び測定システム装置を包含する群から選ばれる請求項５の装置。
【請求項７】前記感知部材が関節の領域または組織の領域の色を分析する色分析装置（108）を包含する請求項１の装置。
【請求項８】前記色分析装置（108）が光感知センサ装置である請求項７の装置。
【請求項９】前記色分析装置（108）が、測色計装置、スペクトル光度計装置、及び光沢計装置を包含する群から選ばれる請求項７の装置。
【請求項１０】前記感知部材が関節または組織の領域の温度を測定する温度測定装置（110）を包含する請求項１の装置。
【請求項１１】前記温度測定装置が機械的接触装置、光学的装置、レーザー型装置、サーミスタ型装置、熱電対型装置、温度計装置、サーモグラフィ型装置、赤外線型装置、光感知装置、及び表面電導度−抵抗型装置を包含する群から選ばれる請求項１０の装置。
【請求項１２】関節または組織の領域の画像を発生する記録保管検索装置（114）をさらに包含する請求項１の装置。
【請求項１３】関節または組織の領域の数学的モデルを発生する記録保管検索装置（114）をさらに包含する請求項１の装置。
【手続補正書】
【提出日】平成20年2月5日(2008.2.5)
【手続補正１】
【補正対象書類名】明細書
【補正対象項目名】特許請求の範囲
【補正方法】変更
【補正の内容】
【特許請求の範囲】
【請求項１】  サンプル中の微生物を培養する装置であって、この装置が、容器と、この容器内に、ポリマー鎖が相互に連結した網から作られている不動化層とを備えており、培養中に、サンプル中の微生物の実質的に全部が前記不動化層の表面上で不動化されるように、前記相互に連結したポリマー鎖の間の間隙の平均のサイズが、培養対象であるサンプル中の微生物の平均のサイズより小さい装置。
【手続補正書】
【提出日】平成19年12月11日(2007.12.11)
【手続補正１】
【補正対象書類名】明細書
【補正対象項目名】特許請求の範囲
【補正方法】変更
【補正の内容】
【特許請求の範囲】
【請求項１】  生物学的サンプル中のエリートイベントＧＡＴ−ＺＭ１を同定するための方法であって、配列番号６の５′フランキング領域又は配列番号１０のＧＡＴ−ＺＭ１の３′フランキング領域中の配列を特異的に認識する特異的プライマーまたはプローブを用いる前記生物学的サンプル中の少なくとも１００ｂｐのＤＮＡフラグメントの検出を含む方法。
【請求項２】  一方が配列番号６のＧＡＴ−ＺＭ１の５′フランキング領域またはＧＡＴ−ＺＭ１の配列番号１０の３′フランキング領域を認識し、他方が外来ＤＮＡ内の配列を認識する少なくとも２つのプライマーを用いるポリメラーゼ連鎖反応を用いて、前記生物学的サンプル中に存在する核酸から１００〜３５０ｂｐのＤＮＡフラグメントを増幅することを含む、請求項１記載の方法。
【請求項３】  前記プライマーの一方がＧＡＴ−ＺＭ１の配列番号６の５′フランキング領域内の配列を認識し、前記他方のプライマーが外来ＤＮＡ内の配列を認識する、請求項２記載の方法。
【請求項４】  前記プライマーが、それぞれ、配列番号１１および配列番号１２の配列を含む、請求項３記載の方法。
【請求項５】  ＧＡＴ−ＺＭ１  ＰＣＲ同定プロトコールを用いて、１５０〜２２０ｂｐのフラグメントを増幅することを含み、前記プライマーの配列が、それぞれ、配列番号１１および配列番号１２のヌクレオチド配列に対応する、請求項２記載の方法。
【請求項６】  ＧＡＴ−ＺＭ１  ＰＣＲ同定プロトコールを用いて、約２０２ｂｐのフラグメントを増幅することを含む、請求項５記載の方法。
【請求項７】  生物学的サンプル中のエリートイベントＧＡＴ−ＺＭ１を同定するためのキットであって、ＧＡＴ−ＺＭ１の３′または５′ボーダーフランキング領域内の配列を認識する少なくとも１つのＰＣＲプライマーを含むキット。
【請求項８】  ＧＡＴ−ＺＭ１の外来ＤＮＡ内の配列を認識する少なくとも第２のＰＣＲプライマーをさらに含む、請求項７記載のキット。
【請求項９】  前記少なくとも１つのＰＣＲプライマーが、配列番号６の５′フランキング領域内の配列を認識する、請求項７記載のキット。
【請求項１０】  前記少なくとも２つのＰＣＲプライマーが、それぞれ、配列番号１１および配列番号１２の配列を含む、請求項７記載のキット。
【請求項１１】  生物学的サンプルの核酸と、配列番号６のヌクレオチド２８６〜４８７と少なくとも９５％の配列同一性を有するプローブとをハイブリダイズさせることを含む、請求項１記載の方法。
【請求項１２】  種子純度を確認するための請求項１記載の方法。
【手続補正書】
【提出日】平成20年2月13日(2008.2.13)
【手続補正１】
【補正対象書類名】明細書
【補正対象項目名】特許請求の範囲
【補正方法】変更
【補正の内容】
【特許請求の範囲】
【請求項１】  （ａ）多官能性架橋剤で架橋された非真菌性リパーゼ結晶；
（ｂ）プロテアーゼ；および
（ｃ）アミラーゼ、
を含む組成物であって、該リパーゼ結晶はｐＨ２．０〜ｐＨ９．０において活性である、組成物。
【請求項２】  （ａ）多官能性架橋剤で架橋された非真菌性リパーゼ結晶；および
（ｂ）プロテアーゼ；
を含む組成物であって、該リパーゼ結晶はｐＨ４．０〜ｐＨ７．０において活性である、組成物。
【請求項３】  前記リパーゼ結晶が、ｐＨ１．０〜ｐＨ４．０を有する環境に少なくとも１時間曝露した後に活性である、請求項１または請求項２に記載の組成物。
【請求項４】  前記リパーゼ結晶が、ｐＨ１．０〜ｐＨ４．０を有する環境に少なくとも２時間曝露した後に活性である、請求項１または請求項２に記載の組成物。
【請求項５】  前記リパーゼ結晶が、ｐＨ１．０〜ｐＨ４．０を有する環境に少なくとも５時間曝露した後に活性である、請求項１または請求項２に記載の組成物。
【請求項６】  前記多官能性架橋剤が、ビス（スルホスクシンイミジル）スベレートである、請求項１または請求項２に記載の組成物。
【請求項７】  前記リパーゼが、細菌性リパーゼ由来である、請求項１または請求項２に記載の組成物。
【請求項８】  前記細菌性リパーゼが、Ｐｓｅｕｄｏｍｏｎａｓリパーゼである、請求項７に記載の組成物。
【請求項９】  前記Ｐｓｅｕｄｏｍｏｎａｓリパーゼが、Ｂｕｒｋｈｏｌｄｅｒｉａ  ｃｅｐａｃｉａリパーゼである、請求項８に記載の組成物。
【請求項１０】  前記アミラーゼが、非結晶形態の状態である、請求項１に記載の組成物。
【請求項１１】  前記アミラーゼが、非晶質形態の状態である、請求項１に記載の組成物。
【請求項１２】  前記アミラーゼが、ＢａｃｉｌｌｕｓアミラーゼおよびＡｓｐｅｒｇｉｌｌｕｓアミラーゼからなる群より選択される、請求項１に記載の組成物。
【請求項１３】  前記プロテアーゼが、真菌性プロテアーゼである、請求項１または請求項２に記載の組成物。
【請求項１４】  前記プロテアーゼが、プロテアーゼ結晶である、請求項１または請求項２に記載の組成物。
【請求項１５】  前記プロテアーゼ結晶が、架橋されたプロテアーゼ結晶である、請求項１４に記載の組成物。
【請求項１６】  前記プロテアーゼが、非結晶形態である、請求項１または請求項２に記載の組成物。
【請求項１７】  粉末の形態である、請求項１または請求項２に記載の組成物。
【請求項１８】  水性スラリーである、請求項１または請求項２に記載の組成物。
【請求項１９】  カプセル形態または錠剤形態である、請求項１または請求項２に記載の組成物。
【請求項２０】  前記リパーゼ結晶が、リパーゼ１ｍｇ当たり、５００単位、１０００単位、４０００単位、５０００単位、６０００単位、７０００単位、８０００単位、９０００単位、またはそれ以上よりも高い、オリーブ油に対する比活性を示す、請求項１または請求項２に記載の組成物。
【請求項２１】  薬学的に受容可能なキャリアをさらに含む、請求項１または請求項２に記載の組成物。
【請求項２２】  薬学的組成物である、請求項１または請求項２に記載の組成物。
【請求項２３】  被験体への経口送達に適する処方物の状態で存在する、請求項１、２、２１または２２のうちのいずれか１項に記載の組成物。
【請求項２４】  前記薬学的キャリアが、希釈剤、賦形剤、およびアジュバントからなる群より選択される、請求項２１に記載の組成物。
【請求項２５】  前記キャリアが、ポリマー性キャリアである、請求項２１に記載の組成物。
【請求項２６】  前記ポリマー性キャリアが、生分解性ポリマーである、請求項２５に記載の組成物。
【請求項２７】  前記ポリマー性キャリアのマトリックス内で封入された、請求項２５に記載の組成物。
【請求項２８】  ｐＨ１．０〜ｐＨ３．０を有する環境に少なくとも１時間前記ポリマー性キャリアを曝露した後に、前記組成物のうちの少なくとも５０％が前記マトリックス内に封入されたままであることを特徴とする、請求項２７に記載の組成物。
【請求項２９】  哺乳動物被験体における胃腸障害を処置または予防するための、請求項１または請求項２に記載の組成物。
【請求項３０】  経口投与に適していることを特徴とする、請求項２９に記載の組成物。
【請求項３１】  前記哺乳動物がヒトである、請求項２９に記載の組成物。
【請求項３２】  前記胃腸障害が、膵炎および膵臓不全からなる群より選択される、請求項２９に記載の組成物。
【請求項３３】  前記被験体が、嚢胞性線維症に罹患しているかまたは嚢胞性線維症の危険がある、請求項２９に記載の組成物。
【請求項３４】  低リパーゼ分泌によって特徴付けられる状態に罹患しているかまたは低リパーゼ分泌によって特徴付けられる状態の危険がある哺乳動物被験体における脂肪吸収不良を処置または予防するための、請求項１または請求項２に記載の組成物。
【請求項３５】  前記哺乳動物に対する経口投与に適していることを特徴とする、請求項３４に記載の組成物。
【請求項３６】  前記哺乳動物がヒトである、請求項３４に記載の組成物。
【請求項３７】  食前に前記被験体に投与するのに適していることを特徴とする、請求項３４に記載の組成物。
【請求項３８】  食中に前記被験体に投与するのに適していることを特徴とする、請求項３４に記載の組成物。
【請求項３９】  食後に前記被験体に投与するのに適していることを特徴とする、請求項３４に記載の組成物。
【請求項４０】  前記哺乳動物における脂肪吸収率を６０％を超えるまでに増加させるのに十分な量で該哺乳動物に投与するのに適していることを特徴とする、請求項３４に記載の組成物。
【請求項４１】  前記哺乳動物における脂肪吸収率を８０％を超えるまでに増加させるのに十分な量で該哺乳動物に投与するのに適していることを特徴とする、請求項３４に記載の組成物。
【請求項４２】  前記哺乳動物におけるタンパク質吸収率を６０％を超えるまでに増加させるのに十分な量で該哺乳動物に投与するのに適していることを特徴とする、請求項２９に記載の組成物。
【請求項４３】  前記プロテアーゼが、架橋されていないプロテアーゼ結晶である、請求項１に記載の組成物。